(57)【要約】【課題】色光の加算混色という性質を利用して、視野角制御を行なう新たなタイプの電気光学装置、および当該電気光学装置を備えた電子機器を提供すること。【解決手段】電気光学パネル１００ｐで画像を表示した際、電気光学パネル１００ｐの正面に位置する者からは、視野角制御用サブ画素１Ｓから出射された光が遮光バリア２９で遮られる。従って、電気光学パネル１００ｐの正面に位置する者は、第１サブ画素１Ｒ、第２サブ画素１Ｇおよび第３サブ画素１Ｂが出射する光によって表示された画像をみることができる。これに対して、電気光学パネル１００ｐに対して斜め方向に位置する者には、視野角制御用サブ画素１Ｓから出射された光が届く一方、第１サブ画素１Ｒ、第２サブ画素１Ｇおよび第３サブ画素１Ｂから出射された光の一部が遮光バリア２９で遮られる。【選択図】図１
2010224382.tif 000002
【特許請求の範囲】
【請求項１】
互いに異なる色光を出射する複数のサブ画素、および当該サブ画素とは異なる色の光を出射する視野角制御用サブ画素を備えた画素が複数配列された電気光学パネルと、
前記視野角制御用サブ画素から離間した位置で当該視野角制御用サブ画素に対して平面視で重なって当該視野角制御用サブ画素から前記電気光学パネルの法線方向への光の出射を阻止する遮光バリアと、
を有することを特徴とする電気光学装置。
【請求項２】
前記画素は、前記複数のサブ画素として、第１色光を出射する第１サブ画素と、第２色光を出射する第２サブ画素と、第３色光を出射する第３サブ画素と、を備え、
前記視野角制御用サブ画素は、前記第１色光、前記第２色光および前記第３色光と異なる色の光を出射することを特徴とする請求項１に記載の電気光学装置。
【請求項３】
前記視野角制御用サブ画素は、前記第１色光、前記第２色光および前記第３色光のうちの２つの色光を混色した色の光を出射することを特徴とする請求項２に記載の電気光学装置。
【請求項４】
前記第１色光、前記第２色光、および前記第３色光を混色したときに白色の光が生成され、
前記視野角制御用サブ画素は、前記第１色光、前記第２色光および前記第３色光のうちのいずれかの色光に対して補色関係にある色の光を出射することを特徴とする請求項３に記載の電気光学装置。
【請求項５】
前記電気光学パネルでは、前記第１サブ画素、前記第２サブ画素および前記第３サブ画素によって、正面からみたときに白色を背景にして情報が黒色により表示されるモードが実行されることを特徴とする請求項４に記載の電気光学装置。
【請求項６】
前記電気光学パネルでは、前記第１サブ画素、前記第２サブ画素および前記第３サブ画素によって、正面からみたときに白色を背景にして情報が前記第１色光、前記第２色光および前記第３色光のいずれかの色により表示されるモードが実行されることを特徴とする請求項４に記載の電気光学装置。
【請求項７】
前記電気光学パネルの画像表示領域を平面視したとき、前記第１サブ画素、前記第２サブ画素、前記第３サブ画素、および前記視野角制御用サブ画素は、左右方向に配列されていることを特徴とする請求項２乃至６の何れか一項に記載の電気光学装置。
【請求項８】
前記電気光学パネルの画像表示領域を平面視したとき、前記視野角制御用サブ画素は、前記第１サブ画素、前記第２サブ画素および前記第３サブ画素が配列されている領域に対して上方あるいは下方に設けられていることを特徴とする請求項２乃至６の何れか一項に記載の電気光学装置。
【請求項９】
前記電気光学パネルは、前記第１サブ画素、前記第２サブ画素、および前記第３サブ画素の各々に画素電極および画素トランジスターが設けられた素子基板と、該素子基板に対向する対向基板と、前記素子基板と前記対向基板との間に保持された液晶層を備え、
前記第１サブ画素、前記第２サブ画素、および前記第３サブ画素から出射される光の色は、前記画素電極に対して平面視で重なるカラーフィルターにより規定されていることを特徴とする請求項１乃至８の何れか一項に記載の電気光学装置。
【請求項１０】
前記電気光学パネルは、前記第１サブ画素、前記第２サブ画素、および前記第３サブ画素の各々に発光素子が設けられた素子基板を有し、
前記第１サブ画素、前記第２サブ画素、および前記第３サブ画素から出射される光の色は、前記発光素子に対して平面視で重なるカラーフィルター、あるいは前記発光素子から出射される光の色により規定されていることを特徴とする請求項１乃至８の何れか一項に記載の電気光学装置。
【請求項１１】
請求項１乃至１０の何れか一項に規定する電気光学装置を備えていることを特徴とする電子機器。
【発明の詳細な説明】
【技術分野】
【０００１】
本発明は、液晶装置や有機エレクトロルミネッセンス（以下有機ＥＬという）装置などといった電気光学装置、および当該電気光学装置を備えた電子機器に関するものである。
【背景技術】
【０００２】
電気光学装置として代表的なものとしては液晶装置や有機ＥＬ装置などが挙げられ、かかる電気光学装置において画像をカラーで表示する場合には、互いに異なる色光を出射する複数のサブ画素を備えた画素が複数配列された電気光学パネルが用いられる。複数のサブ画素としては、一般的に、赤色光を出射する第１サブ画素と、緑色光を出射する第２サブ画素と、青色光を出射する第３サブ画素とが設けられる。
【０００３】
かかる電気光学装置は、携帯電話機やモバイルコンピューターなどの電子機器に用いられる際、プライバシーの保護や情報漏洩の防止という観点から、電気光学パネルの正面に位置する利用者からは画像を視認しやすくする一方、電気光学パネルに対して斜め位置にいる者からは情報が視認しにくくすることが望まれている。
【０００４】
そこで、視角制御用のパネルを表示パネルに重ね、ＯＮ／ＯＦＦで視野角を制御する構成、バックライトの視野角特性を変化させた構成、γ特性を変えることにより低視角での見栄えを低下させた構成、表示パネルの前面にシートを貼って視野角を狭くした構成などが提案されている（特許文献１、２、３、４参照）。
【先行技術文献】
【特許文献】
【０００５】
【特許文献１】特開平５−１０８０２３号公報
【特許文献２】特開平１０−９７１９９号公報
【特許文献３】特開２００６−１８４６０９号公報
【特許文献４】特開２００１−１４７６７３号公報
【発明の概要】
【発明が解決しようとする課題】
【０００６】
上記の特許文献１〜４のいずれにおいても、表示光が斜め方向に出射されることを制限するという原理に基づくものである。
【０００７】
ここに本願発明者は、電気光学装置においてカラー表示を行なうことを最大限利用し、斜め方向からみた画像から情報を隠すという新たな原理に基づく視野角制御の方式を提案するものである。すなわち、本発明の課題は、色光の加算混色という性質を利用して、視野角制御を行なう新たなタイプの電気光学装置、および当該電気光学装置を備えた電子機器を提供することにある。
【課題を解決するための手段】
【０００８】
上記課題を解決するために、本発明に係る電気光学装置は、互いに異なる色光を出射する複数のサブ画素、および当該サブ画素とは異なる色の光を出射する視野角制御用サブ画素を備えた画素が複数配列された電気光学パネルと、前記視野角制御用サブ画素から離間した位置で当該視野角制御用サブ画素に対して平面視で重なって当該視野角制御用サブ画素から前記電気光学パネルの法線方向への光の出射を阻止する遮光バリアと、を有することを特徴とする。
【０００９】
本発明では、電気光学パネルで画像を表示した際、電気光学パネルの正面（法線方向）に位置する者に対しては、遮光バリアによって視野角制御用サブ画素からの光の出射が阻止される。このため、電気光学パネルの正面に位置する者は、複数のサブ画素によって表示された画像をみることができる。これに対して、電気光学パネルに対して斜め方向に位置する者には、視野角制御用サブ画素から出射された光が届く一方、複数のサブ画素から出射された光の一部は、遮光バリアで遮られる。従って、電気光学パネルに対して斜め方向に位置する者には、サブ画素から出射された光の色は、視野角制御用サブ画素から出射された光と、複数の画素から出射された光のうち、遮光バリアで遮られなかった色の光とが加算混色された色の光が届く。それ故、電気光学パネルを斜め方向からみたときは、視野角制御用サブ画素から出射された光によって画像が迷彩されるので、情報を視認できないことになる。
【００１０】
本発明において、前記画素は、前記複数のサブ画素として、例えば、第１色光を出射する第１サブ画素と、第２色光を出射する第２サブ画素と、第３色光を出射する第３サブ画素と、を備え、前記視野角制御用サブ画素は、前記第１色光、前記第２色光および前記第３色光と異なる色の光を出射する。
【００１１】
本発明において、前記視野角制御用サブ画素は、前記第１色光、前記第２色光および前記第３色光のうちの２つの色光を混色した色の光を出射することが好ましい。かかる構成によれば、電気光学パネルを斜め方向からみたときは、視野角制御用サブ画素から出射された光と、複数の画素から出射された光のうち、遮光バリアで遮られなかった色の光とが加算混色された色の光によって画像が複雑に迷彩されるので、情報を視認できないことになる。
【００１２】
本発明において、前記第１色光、前記第２色光、および前記第３色光を混色したときに白色の光が生成される場合、前記視野角制御用サブ画素は、前記第１色光、前記第２色光および前記第３色光のうちのいずれかの色光に対して補色関係にある色の光を出射する。
【００１３】
本発明において、前記電気光学パネルでは、例えば、前記第１サブ画素、前記第２サブ画素および前記第３サブ画素によって、正面からみたときに白色を背景にして情報が黒色により表示されるモードが実行される。かかる構成を採用すると、正面からみると黒色になっていた画素が、斜め方向からみたとき背景色と同一の色となる。このため、電気光学パネルを斜め方向からみた場合は、情報を視認できないことになる。
【００１４】
本発明において、前記電気光学パネルでは、例えば、前記第１サブ画素、前記第２サブ画素および前記第３サブ画素によって、正面からみたときに白色を背景にして情報が前記第１色光、前記第２色光および前記第３色光のいずれかの色により表示されるモードが実行される。かかる構成を採用すると、電気光学パネルに対する法線方向に対して互いに反対側に傾いた斜め２方向のいずれの方向からみたときでも、正面からみると黒色になっていた画素が背景色と同一の色となる。このため、電気光学パネルを斜め２方向のいずれの方向からみたときも情報を視認できないことになる。
【００１５】
本発明において、前記電気光学パネルの画像表示領域を平面視したとき、前記第１サブ画素、前記第２サブ画素、前記第３サブ画素、および前記視野角制御用サブ画素は、左右方向に配列されている構成を採用することができる。
【００１６】
本発明において、前記電気光学パネルの画像表示領域を平面視したとき、前記視野角制御用サブ画素は、前記第１サブ画素、前記第２サブ画素および前記第３サブ画素が配列されている領域に対して上方あるいは下方に設けられている構成を採用してもよい。
【００１７】
本発明を適用した電気光学装置は、例えば、液晶装置として構成される。かかる構成の場合、前記電気光学パネルは、前記第１サブ画素、前記第２サブ画素、および前記第３サブ画素の各々に画素電極および画素トランジスターが設けられた素子基板と、該素子基板に対向する対向基板と、前記素子基板と前記対向基板との間に保持された液晶層を備え、前記第１サブ画素、前記第２サブ画素、および前記第３サブ画素から出射される光の色は、前記画素電極に対して平面視で重なるカラーフィルターにより規定される。
【００１８】
本発明を適用した電気光学装置は、例えば、有機エレクトロルミネッセンス装置のように、発光素子を備えた電気光学装置として構成される場合もある。かかる構成の場合、前記電気光学パネルは、前記第１サブ画素、前記第２サブ画素、および前記第３サブ画素の各々に発光素子が設けられた素子基板を有し、前記第１サブ画素、前記第２サブ画素、および前記第３サブ画素から出射される光の色は、前記発光素子に対して平面視で重なるカラーフィルター、あるいは前記発光素子から出射される光の色により規定されることになる。すなわち、発光素子を利用したタイプの電気光学装置の場合、前記第１サブ画素、前記第２サブ画素、および前記第３サブ画素のいずれに配置された発光素子も白色や単色の光を出射する構成、あるいは前記第１サブ画素、前記第２サブ画素、および前記第３サブ画素に配置された発光素子が異なる色の光を出射する構成が採用される。前者の構成の場合、サブ画素が対応する色は、発光素子と平面視で重なる領域に設けられたカラーフィルターによって規定される。これに対して、後者の場合、サブ画素が対応する色は、発光素子が出射する光の色自身によって規定される。
【００１９】
本発明を適用した電気光学装置は、携帯電話機やモバイルコンピューターなどの電子機器において表示部などとして用いられる。
【図面の簡単な説明】
【００２０】
【図１】本発明の電気光学装置での視野角制御に用いた光の加算混色の説明図である。
【図２】本発明の実施の形態１に係る電気光学装置（液晶装置）に用いた素子基板の電気的な構成を示す等価回路図である。
【図３】（ａ）、（ｂ）は各々、本発明の実施の形態１に係る電気光学装置をその上に形成された各構成要素と共に対向基板の側から見た平面図、およびそのＨ−Ｈ′断面図である。
【図４】本発明の実施の形態１に係る電気光学装置の画素の構成を模式的に示す説明図である。
【図５】本発明の実施の形態１に係る電気光学装置での視野角制御の構成例１の内容を示す説明図である。
【図６】本発明の実施の形態１に係る電気光学装置での視野角制御の構成例２の内容を示す説明図である。
【図７】本発明の実施の形態１に係る電気光学装置での視野角制御の構成例３の内容を示す説明図である。
【図８】本発明の実施の形態１に係る電気光学装置での視野角制御の構成例４の内容を示す説明図である。
【図９】本発明の実施の形態２に係る電気光学装置の画素構成を模式的に示す平面図である。
【図１０】本発明の実施の形態３に係る電気光学装置の画素の断面構成を模式的に示す説明図である。
【図１１】本発明の実施の形態４に係る電気光学装置の画素の断面構成を模式的に示す説明図である。
【図１２】本発明の実施の形態５に係る電気光学装置（有機ＥＬ装置）に用いた素子基板の電気的な構成を示す等価回路図である。
【図１３】（ａ）、（ｂ）は各々、本発明の実施の形態５に係る電気光学装置をその上に形成された各構成要素と共に対向基板の側から見た平面図、およびそのＪ−Ｊ′断面図である。
【図１４】（ａ）、（ｂ）は各々、本発明の実施の形態５に係る電気光学装置の画素の断面構成を模式的に示す説明図である。
【図１５】本発明に係る電気光学装置を用いた電子機器の説明図である。
【発明を実施するための形態】
【００２１】
以下、本発明の実施の形態を説明する。以下の説明で参照する図においては、各層や各部材を図面上で認識可能な程度の大きさとするため、各層や各部材毎に縮尺を異ならしめてある。なお、各実施の形態を説明する前に、各実施の形態で共通の前提事項を説明し、その後に各実施の形態を詳細に説明する。
【００２２】
［共通事項］
図１は、本発明の電気光学装置での視野角制御に用いた光の加算混色の説明図である。図１に示すように、光の三原色である赤色光Ｒ、緑色光Ｇおよび青色光Ｂは、２色の光を混色すると、黄色光Ｙ、シアン色光Ｃ、マゼンダ色光Ｍとなる。また、赤色光Ｒ、緑色光Ｇおよび青色光Ｂを混色すると、白色の光Ｗとなる。ここで、黄色光Ｙと青色光Ｂとを混色すると白色の光Ｗとなることから、黄色光Ｙと青色光Ｂとは補色の関係にある。シアン色光Ｃと赤色光Ｒとを混色すると白色の光Ｗとなることから、シアン色光Ｃと赤色光Ｒとは補色の関係にある。マゼンダ色光Ｍと緑色光Ｇとを混色すると白色の光Ｗとなることから、マゼンダ色光Ｍと緑色光Ｇとは補色の関係にある。
【００２３】
本形態では、かかる特性を利用して、以下に説明する電気光学装置において、斜め方向からみた画像から情報を隠す。以下の説明においては
第１サブ画素から出射される第１色光＝赤色光Ｒ
第２サブ画素から出射される第２色光＝緑色光Ｇ
第３サブ画素から出射される第３色光＝青色光Ｂ
として説明する。
【００２４】
［実施の形態１］
（全体構成）
図２は、本発明の実施の形態１に係る電気光学装置（液晶装置）に用いた素子基板の電気的な構成を示す等価回路図である。図３（ａ）、（ｂ）は各々、本発明の実施の形態１に係る電気光学装置をその上に形成された各構成要素と共に対向基板の側から見た平面図、およびそのＨ−Ｈ′断面図である。
【００２５】
図２に示す電気光学装置１００は液晶装置であり、アクティブマトリクス型の電気光学パネル１００ｐ（液晶パネル）を備えている。かかる電気光学パネル１００ｐにおいて、矩形の平面形状を有する画素領域１０ｂには複数の画素１がマトリクス状に形成されている。複数の画素１の各々は、第１サブ画素１Ｒ、第２サブ画素１Ｇおよび第３サブ画素１Ｂを備えており、かかる第１サブ画素１Ｒ、第２サブ画素１Ｇおよび第３サブ画素１Ｂは各々、赤色光Ｒ、緑色光Ｇおよび青色光Ｂを出射する。
【００２６】
本形態の電気光学装置１００において、画素１は、第１サブ画素１Ｒ、第２サブ画素１Ｇおよび第３サブ画素１Ｂに加えて、視野角制御用サブ画素１Ｓを備えている。視野角制御用サブ画素１Ｓは、第１サブ画素１Ｒ、第２サブ画素１Ｇおよび第３サブ画素１Ｂと同様、画素電極９ａおよび画素トランジスター３０ａを備えている。かかる視野角制御用サブ画素１Ｓの機能等については後述する。
【００２７】
第１サブ画素１Ｒ、第２サブ画素１Ｇ、第３サブ画素１Ｂおよび視野角制御用サブ画素１Ｓは各々、画素電極９ａ、および画素電極９ａを制御するための画素スイッチング用の画素トランジスター３０ａを備えている。データ線駆動回路１０１から延びたデータ線６ａは、画素トランジスター３０ａのソースに電気的に接続されており、データ線駆動回路１０１は、データ線６ａに画像信号を線順次で供給する。走査線駆動回路１０４から延びた走査線３ａは、画素トランジスター３０ａのゲートに電気的に接続されており、走査線駆動回路１０４は、走査線３ａに走査信号を線順次で供給する。画素電極９ａは、画素トランジスター３０ａのドレインに電気的に接続されており、電気光学装置１００では、画素トランジスター３０ａを一定期間だけそのオン状態とすることにより、データ線６ａから供給される画像信号を各サブ画素の液晶容量５０ａに所定のタイミングで書き込む。液晶容量５０ａに書き込まれた所定レベルの画像信号は、素子基板１０に形成された画素電極９ａと、後述する対向基板の共通電極との間で一定期間保持される。画素電極９ａと共通電極との間には保持容量６０が形成されており、画素電極９ａの電圧は、例えば、ソース電圧が印加された時間よりも３桁も長い時間だけ保持される。これにより、電荷の保持特性は改善され、コントラスト比の高い表示を行うことのできる電気光学装置１００が実現される。本形態では、保持容量６０を構成するにあたって、走査線３ａと並行するように容量線３ｂが形成されているが、前段の走査線３ａとの間に保持容量６０が形成される場合もある。また、フリンジフィールドスイッチング（ＦＦＳ（Fringe Field Switching））モードの液晶装置の場合、共通電極は、画素電極９ａと同様、素子基板１０上に形成される。
【００２８】
図３（ａ）、（ｂ）に示すように、本形態の電気光学装置１００では、素子基板１０上にシール材１０７が矩形枠状に設けられており、シール材１０７によって対向基板２０と素子基板１０とが貼り合わされている。対向基板２０とシール材１０７とは略同一の輪郭を備えており、シール材１０７で囲まれた領域内に液晶層５０が保持されている。液晶層５０は、例えば一種または数種のネマティック液晶を混合したものなどからなる。シール材１０７の角部分には素子基板１０と対向基板２０との間で電気的な接続を行なうための導通材１０９が配置されている。
【００２９】
素子基板１０において、シール材１０７の外側領域（画素領域１０ｂの外側領域）には、データ線駆動回路１０１、および端子１０２が素子基板１０の一辺に沿って設けられており、端子１０２には、外部回路との電気的な接続を行なうフレキシブル配線基板（図示せず）が接続される。素子基板１０において、シール材１０７の外側領域（画素領域１０ｂの外側領域）には、端子１０２が配列された辺に隣接する２辺に沿って走査線駆動回路１０４が形成されている。さらに、素子基板１０では、対向基板２０に形成された遮光膜からなる額縁２８と重なる領域などを利用して、プリチャージ回路や検査回路などの周辺回路が設けられることもある。
【００３０】
このように構成した電気光学装置１００において、画像表示領域１０ａは、図２を参照して説明した画素領域１０ｂと重なる領域であるが、画素領域１０ｂの外周に沿って、表示に直接寄与しないダミーの画素が形成される場合があり、この場合、画素領域１０ｂのうち、ダミーの画素を除いた領域によって画像表示領域１０ａが構成される。
【００３１】
かかる電気光学装置１００において、電気光学パネル１００ｐが透過型液晶パネルである場合、素子基板１０に対して対向基板２０と反対側に配置されたバックライト装置（図示せず）から出射された光を電気光学パネル１００ｐにより光変調して、矢印Ｌで示すように、対向基板２０の側から出射する。これに対して、電気光学パネル１００ｐが反射型液晶パネルである場合、例えば、対向基板２０から入射した光を素子基板１０の側で反射して、矢印Ｌで示すように、対向基板２０の側から出射する。
【００３２】
（画素の詳細な構成）
図４は、本発明の実施の形態１に係る電気光学装置１００の画素１の構成を模式的に示す説明図であり、図４（ａ）、（ｂ）は各々、本発明の実施の形態１に係る電気光学装置１００の画素１の断面構成を模式的に示す説明図、およびカラーフィルターの配列を模式的に示す説明図である。なお、図４（ｂ）において、円Ｐで囲った領域内には、後述する遮光バリア２９を省略した様子を示してあり、画素一つ分は太線で囲った領域に相当する。
【００３３】
図４（ａ）に示すように、電気光学装置１００の素子基板１０では、ガラス、石英、単結晶シリコン基板などの基板本体１０ｄ上に複数の層の絶縁膜１３が形成層されており、かかる絶縁層１３の層間を利用して、図２を参照して説明した画素トランジスター３０ａなどが構成されている。また、絶縁層１３の上には、第１サブ画素１Ｒ、第２サブ画素１Ｇ、第３サブ画素１Ｂ、および視野角制御用サブ画素１Ｓの各々に画素電極９ａが形成されており、画素電極９ａの上層側には配向膜１４が形成されている。ここで、電気光学装置１０が透過型液晶装置の場合、基板本体１０ｄにはガラスや石英などの透光性基板が用いられ、画素電極９ａはＩＴＯ膜などの透光性導電膜からなる。これに対して、電気光学装置１０が反射型液晶装置の場合、基板本体１０ｄには、ガラスや石英などの透光性基板の他、単結晶シリコン基板やセラミック基板などを用いられ、画素電極９ａは反射性導電膜からなる。
【００３４】
対向基板２０は、素子基板１０に対して表示光の出射側（矢印Ｌで示す側）に配置されており、ガラスや石英などの透光性の基板本体２０ｄを備えている。基板本体２０ｄにおいて素子基板１０と対向する面側には、第１サブ画素１Ｒ、第２サブ画素１Ｇ、第３サブ画素１Ｂおよび視野角制御用サブ画素１Ｓが出射する光の色を規定する第１カラーフィルター２２（Ｒ）、第２カラーフィルター２２（Ｇ）、第３カラーフィルター２２（Ｂ）および視野角制御用カラーフィルター２２（Ｓ）が形成されている。また、対向基板２０において、第１カラーフィルター２２（Ｒ）、第２カラーフィルター２２（Ｇ）、第３カラーフィルター２２（Ｂ）および視野角制御用カラーフィルター２２（Ｓ）の上には直接、あるいは保護膜などを介して、ＩＴＯ膜などからなる透光性の共通電極２１が形成されており、共通電極２１の上層には配向膜２４が形成されている。
【００３５】
また、本形態では、対向基板２０において、第１カラーフィルター２２（Ｒ）、第２カラーフィルター２２（Ｇ）、第３カラーフィルター２２（Ｂ）および視野角制御用カラーフィルター２２（Ｓ）に対して基板本体２０ｄの側（表示光の出射側）には遮光バリア２９が形成されている。かかる遮光バリア２９は、視野角制御用サブ画素１Ｓに対して光の出射方向で離間する位置で、視野角制御用サブ画素１Ｓに対して平面視で重なっている。本形態では、遮光バリア２９は、基板本体２０ｄにおいて素子基板１０に対向する面側２０ｅに遮光性の金属層や樹脂層などにより形成されている。かかる遮光バリア２９と、第１カラーフィルター２２（Ｒ）、第２カラーフィルター２２（Ｇ）、第３カラーフィルター２２（Ｂ）および視野角制御用カラーフィルター２２（Ｓ）との層間には、シリコン酸化膜、シリコン窒化膜、感光性樹脂などの平坦化層２５が形成されている。このため、遮光バリア２９は、視野角制御用カラーフィルター２２（Ｓ）に対して平坦化膜２５の厚さ寸法分だけ、光の出射方向で離間する位置にある。平坦化層２５は、シリコン酸化膜やシリコン窒化膜の表面に対して研磨することにより平坦化された構成や、感光性樹脂の流動性を利用して平坦化された構成を有している。
【００３６】
図４（ｂ）に示すように、本形態では、第１カラーフィルター２２（Ｒ）、第２カラーフィルター２２（Ｇ）、第３カラーフィルター２２（Ｂ）および視野角制御用カラーフィルター２２（Ｓ）が複数のサブ画素に跨って上下方向（データ線６ａの延在方向）に延在する縦ストライプ構造が採用されている。このため、１つの画素１内において、第１サブ画素１Ｒ、第２サブ画素１Ｇ、第３サブ画素１Ｂおよび視野角制御用サブ画素１Ｓは左右方向（走査線３ａの延在方向）に１列に配列されている。
【００３７】
（視野角制御の構成例１）
このように構成した電気光学装置１００では、表示制御部（図示せず）から出力された画像データに基づいて、図１に示すデータ線駆動回路１０１からは第１サブ画素１Ｒ、第２サブ画素１Ｇおよび第３サブ画素１Ｂに対して、点灯、消灯、諧調などを制御する画像信号が供給され、その結果、電気光学パネル１００ｐにおいてカラー画像が表示される。その際、本形態では、視野角制御用サブ画素１Ｓおよび遮光バリア２９を利用して、電気光学パネル１００ｐの正面に位置する利用者からは画像を視認可能にする一方、電気光学パネル１００ｐに対して斜め位置にいる者からは情報を視認不能にしてプライバシーの保護や情報漏洩の防止を図る。より具体的には、電気光学パネル１００ｐにおいて表示を行なう期間の全体、あるいは特定の情報が表示される期間のみ、視野角制御用サブ画素１Ｓには常に点灯する旨の画像信号が供給される。後者の場合、外部操作やアプリケーションの選択に連動して、例えば、メールなどの情報を表示する際のみ、視野角制御用サブ画素１Ｓに点灯する旨の画像信号が供給される。
【００３８】
図５を参照して、視野角制御の様子を説明する。図５は、本発明の実施の形態１に係る電気光学装置での視野角制御の構成例１の内容を示す説明図である。なお、図５（ａ）、（ｂ）、（ｃ）、（ｄ）は各々、電気光学パネル１００ｐから出射された光が正面にいる者に届く様子を示す説明図、電気光学パネル１００ｐから出射された光が斜め左側にいる者に届く様子を示す説明図、電気光学パネル１００ｐから出射された光が斜め右側にいる者に届く様子を示す説明図、および表示画像の形態を示す説明図である。
【００３９】
図５（ａ）、（ｂ）、（ｃ）に示す電気光学装置１００において、各サブ画素は以下に示す光
第１サブ画素１Ｒ（第１色光）＝赤色光Ｒ
第２サブ画素１Ｇ（第２色光）＝緑色光Ｇ
第３サブ画素１Ｂ（第３色光）＝青色光Ｂ
視野角制御用サブ画素１Ｓ＝黄色光Ｙ
を出射するように構成されている。かかる色の対応はいずれも、前記したカラーフィルターの色によって規定されている。ここで、視野角制御用サブ画素１Ｓが出射する光の色は、第１サブ画素１Ｒが出射する光の色、第２サブ画素１Ｇが出射する光の色、第３サブ画素１Ｂが出射する光の色と相違している。また、視野角制御用サブ画素１Ｓが出射する黄色光Ｙは、第１サブ画素１Ｒ、第２サブ画素１Ｇおよび第３サブ画素１Ｂのうち、左側に位置する第１サブ画素１Ｒが出射する赤色光Ｒと、中央に位置する第２サブ画素１Ｇが出射する緑色光Ｇの色とを混色した色に相当し、右側に位置する第３サブ画素１Ｂが出射する青色光Ｂとは補色の関係にある。
【００４０】
このように構成した電気光学装置においては、第１サブ画素１Ｒ、第２サブ画素１Ｇおよび第３サブ画素１Ｂによって、以下に示すように、
正面からみたときの画像
背景＝白色Ｗ
文字＝黒色ＢＫ
正面からみたときに白色Ｗを背景にして文字情報が黒色ＢＫで表示されるモードが実行される。
【００４１】
この場合、図５（ａ）に示すように、正面にいる者には、背景に相当する領域から出射された赤色光Ｒ、緑色光Ｇおよび青色光Ｂが届く。これに対して、正面にいる者には、文字に相当する領域から赤色光Ｒ、緑色光Ｇおよび青色光Ｂのいずれもが届かない。従って、図５（ｄ）に示すように、正面にいる者は、白色Ｗを背景にして文字情報が黒色ＢＫで表示された画像をみることになる。
【００４２】
これに対して、図５（ｃ）に示すように、右側にいる者には、背景に相当する領域から出射された赤色光Ｒ、緑色光Ｇおよび青色光Ｂのうち、青色光Ｂが遮光バリア２９で遮られる結果、赤色光Ｒと緑色光Ｇが届き、赤色光Ｒと緑色光Ｇとを加算した色は黄色Ｙである。また、右側にいる者には、背景に相当する領域から、視野角制御用サブ画素１Ｓの黄色光Ｙも届く。一方、右側にいる者には、文字に相当する領域から、視野角制御用サブ画素１Ｓの黄色光Ｙが届く。従って、図５（ｄ）に示すように、右側にいる者は、黄色Ｙを背景にして文字情報が黄色Ｙで表示された画像をみることになるので、情報を判読できない。
【００４３】
また、図５（ｂ）に示すように、左側にいる者には、背景に相当する領域から出射された赤色光Ｒ、緑色光Ｇおよび青色光Ｂのうち、赤色光Ｒが遮光バリア２９で遮られる結果、緑色光Ｇと青色光Ｂが届き、緑色光Ｇと青色光Ｂとを加算した色はシアン色Ｃである。また、左側にいる者には、背景に相当する領域から、視野角制御用サブ画素１Ｓの黄色光Ｙも届く。一方、左側にいる者には、文字に相当する領域から、視野角制御用サブ画素１Ｓの黄色光Ｙが届く。従って、図５（ｄ）に示すように、左側にいる者は、緑色がかった白色Ｗを背景にして文字情報が黄色Ｙで表示された画像をみることになるので、正面からみた場合に比較してかなり情報を判読しにくい。
【００４４】
（視野角制御の構成例１の変形例）
上記の構成例１では、視野角制御用サブ画素１Ｓが出射する色光が黄色光Ｙであったが、以下の構成
第１サブ画素１Ｒ（第１色光）＝赤色光Ｒ
第２サブ画素１Ｇ（第２色光）＝緑色光Ｇ
第３サブ画素１Ｂ（第３色光）＝青色光Ｂ
視野角制御用サブ画素１Ｓ＝シアン色光Ｃ
でも、上記構成例１と同様な効果を奏する。すなわち、本例では、視野角制御用サブ画素１Ｓが出射するシアン色光Ｃは、第１サブ画素１Ｒ、第２サブ画素１Ｇおよび第３サブ画素１Ｂのうち、右側に位置する第３サブ画素１Ｂが出射する青色光Ｂと、中央に位置する第２サブ画素１Ｇが出射する緑色光Ｇの色とを混色した色に相当し、左側に位置する第１サブ画素１Ｒが出射する赤色光Ｒとは補色の関係にある。
【００４５】
このように構成した電気光学装置１００でも、第１サブ画素１Ｒ、第２サブ画素１Ｇおよび第３サブ画素１Ｂによって、以下に示すように、
正面からみたときの画像
背景＝白色Ｗ
文字＝黒色ＢＫ
正面からみたときに白色Ｗを背景にして文字情報が黒色ＢＫで表示されるモードが実行されたときには、構成例１で説明したのと同様な視野角制御が行なわれる。従って、図示や詳細な説明は省略するが、正面にいる者は、白色Ｗを背景にして文字情報が黒色ＢＫで表示された画像をみることになる。これに対して、左側にいる者は、シアン色Ｃを背景にして文字情報がシアン色Ｃで表示された画像をみることになるので、情報を判読できない。また、右側にいる者には、緑色がかった白色Ｗを背景にして文字情報がシアン色Ｃで表示された画像をみることになるので、正面からみた場合に比較してかなり情報を判読しにくい。
【００４６】
（視野角制御の構成例２）
図６を参照して、本発明の実施の形態１に係る電気光学装置での視野角制御の構成例２の内容を説明する。図６は、本発明の実施の形態１に係る電気光学装置での視野角制御の構成例２の内容を示す説明図である。なお、図６（ａ）、（ｂ）、（ｃ）、（ｄ）は各々、電気光学パネル１００ｐから出射された光が正面にいる者に届く様子を示す説明図、電気光学パネル１００ｐから出射された光が斜め左側にいる者に届く様子を示す説明図、電気光学パネル１００ｐから出射された光が斜め右側にいる者に届く様子を示す説明図、および表示画像の形態を示す説明図である。
【００４７】
図６（ａ）、（ｂ）、（ｃ）に示す電気光学装置１００において、各サブ画素は以下に示す光
第１サブ画素１Ｒ（第１色光）＝赤色光Ｒ
第２サブ画素１Ｇ（第２色光）＝緑色光Ｇ
第３サブ画素１Ｂ（第３色光）＝青色光Ｂ
視野角制御用サブ画素１Ｓ＝マゼンダ色光Ｍ
を出射するように構成されている。かかる色の対応はいずれも、前記したカラーフィルターの色によって規定されている。ここで、視野角制御用サブ画素１Ｓが出射する光の色は、第１サブ画素１Ｒが出射する光の色、第２サブ画素１Ｇが出射する光の色、第３サブ画素１Ｂが出射する光の色と相違している。また、視野角制御用サブ画素１Ｓが出射するマゼンダ色光Ｍは、第１サブ画素１Ｒ、第２サブ画素１Ｇおよび第３サブ画素１Ｂのうち、左側に位置する第１サブ画素１Ｒが出射する赤色光Ｒと、左側に位置する第３サブ画素１Ｂが出射する青色光Ｂの色とを混色した色に相当し、中央に位置する第２サブ画素１Ｇが出射する緑色光Ｇとは補色の関係にある。
【００４８】
このように構成した電気光学装置１００においては、第１サブ画素１Ｒ、第２サブ画素１Ｇおよび第３サブ画素１Ｂによって、以下に示すように、
正面からみたときの画像
背景＝白色Ｗ
文字＝黒色ＢＫ
正面からみたときに白色Ｗを背景にして文字情報が黒色ＢＫで表示されるモードが実行される。この場合、図６（ａ）に示すように、正面にいる者には、背景に相当する領域から出射された赤色光Ｒ、緑色光Ｇおよび青色光Ｂが届く。これに対して、正面にいる者には、文字に相当する領域から赤色光Ｒ、緑色光Ｇおよび青色光Ｂのいずれもが届かない。従って、図６（ｄ）に示すように、正面にいる者は、白色Ｗを背景にして文字情報が黒色ＢＫで表示された画像をみることになる。
【００４９】
これに対して、図６（ｂ）に示すように、左側にいる者には、背景に相当する領域から出射された赤色光Ｒ、緑色光Ｇおよび青色光Ｂのうち、赤色光Ｒが遮光バリア２９で遮られる結果、緑色光Ｇと青色光Ｂが届き、緑色光Ｇと青色光Ｂとを加算した色はシアン色Ｃである。また、左側にいる者には、背景に相当する領域から、視野角制御用サブ画素１Ｓのマゼンダ色光Ｍも届く。一方、左側にいる者には、文字に相当する領域から、視野角制御用サブ画素１Ｓのマゼンダ色光Ｍが届く。従って、図６（ｄ）に示すように、左側にいる者は、青色がかった白色Ｗを背景にして文字情報がマゼンダ色Ｍで表示された画像をみることになるので、正面からみた場合に比較してかなり情報を判読しにくい。
【００５０】
また、図６（ｃ）に示すように、右側にいる者には、背景に相当する領域から出射された赤色光Ｒ、緑色光Ｇおよび青色光Ｂのうち、青色光Ｂが遮光バリア２９で遮られる結果、赤色光Ｒと緑色光Ｇが届き、赤色光Ｒと緑色光Ｇとを加算した色は黄色Ｙである。また、右側にいる者には、背景に相当する領域から、視野角制御用サブ画素１Ｓのマゼンダ色光Ｍも届く。一方、右側にいる者には、文字に相当する領域から、視野角制御用サブ画素１Ｓのマゼンダ色光Ｍが届く。従って、図６（ｄ）に示すように、右側にいる者は、赤色がかった白色Ｗを背景にして文字情報がマゼンダ色Ｍで表示された画像をみることになるので、正面からみた場合に比較してかなり情報を判読しにくい。
【００５１】
（視野角制御の構成例３）
図７を参照して、本発明の実施の形態１に係る電気光学装置での視野角制御の構成例３の内容を説明する。図７は、本発明の実施の形態１に係る電気光学装置での視野角制御の構成例３の内容を示す説明図である。なお、図７（ａ）、（ｂ）、（ｃ）、（ｄ）は各々、電気光学パネル１００ｐから出射された光が正面にいる者に届く様子を示す説明図、電気光学パネル１００ｐから出射された光が斜め左側にいる者に届く様子を示す説明図、電気光学パネル１００ｐから出射された光が斜め右側にいる者に届く様子を示す説明図、および表示画像の形態を示す説明図である。
【００５２】
図７（ａ）、（ｂ）、（ｃ）に示す電気光学装置１００において、各サブ画素は以下に示す光
第１サブ画素１Ｒ（第１色光）＝赤色光Ｒ
第２サブ画素１Ｇ（第２色光）＝緑色光Ｇ
第３サブ画素１Ｂ（第３色光）＝青色光Ｂ
視野角制御用サブ画素１Ｓ＝黄色光Ｙ
を出射するように構成されている。かかる色の対応はいずれも、前記したカラーフィルターの色によって規定されている。ここで、視野角制御用サブ画素１Ｓが出射する光の色は、第１サブ画素１Ｒが出射する光の色、第２サブ画素１Ｇが出射する光の色、第３サブ画素１Ｂが出射する光の色と相違している。また、視野角制御用サブ画素１Ｓが出射する黄色光Ｙは、第１サブ画素１Ｒ、第２サブ画素１Ｇおよび第３サブ画素１Ｂのうち、左側に位置する第１サブ画素１Ｒが出射する赤色光Ｒと、中央に位置する第２サブ画素１Ｇが出射する緑色光Ｇの色とを混色した色に相当し、右側に位置する第３サブ画素１Ｂが出射する青色光Ｂとは補色の関係にある。
【００５３】
このように構成した電気光学装置１００においては、第１サブ画素１Ｒ、第２サブ画素１Ｇおよび第３サブ画素１Ｂによって、以下に示すように、
正面からみたときの画像
背景＝白色Ｗ
文字＝青色Ｂ
正面からみたときに白色Ｗを背景にして文字情報が青色Ｂで表示されるモードが実行される。
【００５４】
この場合、図７（ａ）に示すように、正面にいる者には、背景に相当する領域から出射された赤色光Ｒ、緑色光Ｇおよび青色光Ｂが届く。これに対して、正面にいる者には、文字に相当する領域から青色光Ｂのみが届く。従って、図７（ｄ）に示すように、正面にいる者は、白色Ｗを背景にして文字情報が青色で表示された画像をみることになる。
【００５５】
これに対して、図７（ｂ）に示すように、左側にいる者には、背景に相当する領域から出射された赤色光Ｒ、緑色光Ｇおよび青色光Ｂのうち、赤色光Ｒが遮光バリア２９で遮られる結果、緑色光Ｇと青色光Ｂが届き、緑色光Ｇと青色光Ｂとを加算した色はシアン色Ｃである。また、左側にいる者には、背景に相当する領域から、視野角制御用サブ画素１Ｓの黄色光Ｙも届く。一方、左側にいる者には、文字に相当する領域から、第３サブ画素１Ｂの青色光Ｂと、視野角制御用サブ画素１Ｓの黄色Ｙが届く。従って、図７（ｄ）に示すように、左側にいる者は、緑色がかった白色Ｗを背景にして文字情報が白色Ｗで表示された画像をみることになるので、情報を判読できない。
【００５６】
また、図７（ｃ）に示すように、右側にいる者には、背景に相当する領域から出射された赤色光Ｒ、緑色光Ｇおよび青色光Ｂのうち、青色光Ｂが遮光バリア２９で遮られる結果、赤色光Ｒと緑色光Ｇが届き、赤色光Ｒと緑色光Ｇとを加算した色は黄色Ｙである。また、右側にいる者には、背景に相当する領域から、視野角制御用サブ画素１Ｓの黄色光Ｙも届く。一方、右側にいる者には、文字に相当する領域から、視野角制御用サブ画素１Ｓの黄色光Ｙが届く。従って、図７（ｄ）に示すように、右側にいる者は、黄色Ｙを背景にして文字情報が黄色Ｙで表示された画像をみることになるので、情報を判読できない。
【００５７】
（視野角制御の構成例３の変形例）
上記の構成例３では、視野角制御用サブ画素１Ｓが出射する色光が黄色光Ｙであったが、以下の構成
第１サブ画素１Ｒ（第１色光）＝赤色光Ｒ
第２サブ画素１Ｇ（第２色光）＝緑色光Ｇ
第３サブ画素１Ｂ（第３色光）＝青色光Ｂ
視野角制御用サブ画素１Ｓ＝シアン色光Ｃ
でも略同様な効果を奏する。すなわち、本例では、視野角制御用サブ画素１Ｓが出射するシアン色光Ｃは、第１サブ画素１Ｒ、第２サブ画素１Ｇおよび第３サブ画素１Ｂのうち、右側に位置する第３サブ画素１Ｂが出射する青色光Ｂと、中央に位置する第２サブ画素１Ｇが出射する緑色光Ｇの色とを混色した色に相当し、左側に位置する第１サブ画素１Ｒが出射する赤色光Ｒとは補色の関係にある。
【００５８】
このように構成した電気光学装置１００でも、第１サブ画素１Ｒ、第２サブ画素１Ｇおよび第３サブ画素１Ｂによって、以下に示すように、
正面からみたときの画像
背景＝白色Ｗ
文字＝赤色
正面からみたときに白色Ｗを背景にして文字情報が赤色で表示されるモードが実行されたときには、構成例１で説明したのと同様な視野角制御が行なわれる。従って、図示や詳細な説明は省略するが、正面にいる者は、白色Ｗを背景にして文字情報が赤色で表示された画像をみることになる。これに対して、右側にいる者は、緑色がかった白色Ｗを背景にして文字情報が白色Ｗで表示された画像をみることになるので、情報を判読できない。また、左側にいる者には、シアン色Ｃを背景にして文字情報がシアン色Ｃで表示された画像をみることになるので、情報を判読できない。
【００５９】
（視野角制御の構成例４）
図８を参照して、本発明の実施の形態１に係る電気光学装置での視野角制御の構成例４の内容を説明する。図８は、本発明の実施の形態１に係る電気光学装置での視野角制御の構成例４の内容を示す説明図である。なお、図８（ａ）、（ｂ）、（ｃ）、（ｄ）は各々、電気光学パネル１００ｐから出射された光が正面にいる者に届く様子を示す説明図、電気光学パネル１００ｐから出射された光が斜め左側にいる者に届く様子を示す説明図、電気光学パネル１００ｐから出射された光が斜め右側にいる者に届く様子を示す説明図、および表示画像の形態を示す説明図である。
【００６０】
図８（ａ）、（ｂ）、（ｃ）に示す電気光学装置１００において、各サブ画素は以下に示す光
第１サブ画素１Ｒ（第１色光）＝赤色光Ｒ
第２サブ画素１Ｇ（第２色光）＝緑色光Ｇ
第３サブ画素１Ｂ（第３色光）＝青色光Ｂ
視野角制御用サブ画素１Ｓ＝マゼンダ色光Ｍ
を出射するように構成されている。かかる色の対応はいずれも、前記したカラーフィルターの色によって規定されている。ここで、視野角制御用サブ画素１Ｓが出射する光の色は、第１サブ画素１Ｒが出射する光の色、第２サブ画素１Ｇが出射する光の色、第３サブ画素１Ｂが出射する光の色と相違している。また、視野角制御用サブ画素１Ｓが出射するマゼンダ色光Ｍは、第１サブ画素１Ｒ、第２サブ画素１Ｇおよび第３サブ画素１Ｂのうち、左側に位置する第１サブ画素１Ｒが出射する赤色光Ｒと、右側に位置する第３サブ画素１Ｂが出射する青色光Ｂの色とを混色した色に相当し、中央に位置する第２サブ画素１Ｇが出射する緑色光Ｇとは補色の関係にある。
【００６１】
このように構成した電気光学装置１００においては、第１サブ画素１Ｒ、第２サブ画素１Ｇおよび第３サブ画素１Ｂによって、以下に示すように、
正面からみたときの画像
背景＝白色Ｗ
文字＝緑色
正面からみたときに白色Ｗを背景にして文字情報が緑色で表示されるモードが実行される。
【００６２】
この場合、図８（ａ）に示すように、正面にいる者には、背景に相当する領域から出射された赤色光Ｒ、緑色光Ｇおよび青色光Ｂが届く。これに対して、正面にいる者には、文字に相当する領域から緑色光Ｇのみが届く。従って、図８（ｄ）に示すように、正面にいる者は、白色Ｗを背景にして文字情報が緑色で表示された画像をみることになる。
【００６３】
これに対して、図８（ｂ）に示すように、左側にいる者には、背景に相当する領域から出射された赤色光Ｒ、緑色光Ｇおよび青色光Ｂのうち、赤色光Ｒが遮光バリア２９で遮られる結果、緑色光Ｇと青色光Ｂが届き、緑色光Ｇと青色光Ｂとを加算した色はシアン色Ｃである。また、左側にいる者には、背景に相当する領域から、視野角制御用サブ画素１Ｓのマゼンダ色光Ｍも届く。一方、左側にいる者には、文字に相当する領域から、第２サブ画素１Ｇの緑色光Ｇと、視野角制御用サブ画素１Ｓのマゼンダ色光Ｍが届く。従って、図８（ｄ）に示すように、左側にいる者は、青色がかった白色Ｗを背景にして文字情報が白色Ｗで表示された画像をみることになるので、情報を判読できない。
【００６４】
また、図８（ｃ）に示すように、右側にいる者には、背景に相当する領域から出射された赤色光Ｒ、緑色光Ｇおよび青色光Ｂのうち、青色光Ｂが遮光バリア２９で遮られる結果、赤色光Ｒと緑色光Ｇとが届き、赤色光Ｒと緑色光Ｇとを加算した色は黄色Ｙである。また、右側にいる者には、背景に相当する領域から、視野角制御用サブ画素１Ｓのマゼンダ色光Ｍも届く。一方、右側にいる者には、文字に相当する領域から、第２サブ画素の緑色光Ｇと視野角制御用サブ画素１Ｓのマゼンダ色光Ｍが届く。従って、図８（ｄ）に示すように、右側にいる者は、赤色がかった白色を背景にして文字情報が白色Ｗで表示された画像をみることになるので、情報を判読できない。
【００６５】
［実施の形態２］
図９は、本発明の実施の形態２に係る電気光学装置の画素構成を模式的に示す平面図である。上記実施の形態１では、図４（ｂ）に示すように、第１カラーフィルター２２（Ｒ）、第２カラーフィルター２２（Ｇ）、第３カラーフィルター２２（Ｂ）および視野角制御用カラーフィルター２２（Ｓ）が複数のサブ画素に跨って上下方向（データ線６ａの延在方向）に延在する縦ストライプ構造が採用されていた。これに対して、本形態では、図９に示すように、電気光学パネル１００ｐの画像表示領域を平面視したとき、視野角制御用サブ画素１Ｓが、第１サブ画素１Ｒ、第２サブ画素１Ｇおよび第３サブ画素１Ｂが配列されている領域に対して下方に設けられている。
【００６６】
ここで、第１カラーフィルター２２（Ｒ）、第２カラーフィルター２２（Ｇ）および第３カラーフィルター２２（Ｂ）および視野角制御用カラーフィルター２２（Ｓ）は、複数のサブ画素に跨って左右方向（走査線３ａの延在方向）に延在する横ストライプ構造が採用されている。このため、第１カラーフィルター２２（Ｒ）、第２カラーフィルター２２（Ｇ）、第３カラーフィルター２２（Ｂ）および視野角制御用カラーフィルター２２（Ｓ）は、上下方向（データ線６ａの延在方向）に繰り返された構造になっている。
【００６７】
また、本形態でも、視野角制御用サブ画素１Ｓに対して平面視で重なるように遮光バリア２９が形成されている。但し、遮光バリア２９は、左右方向で隣り合う視野角制御用サブ画素１Ｓの間では途切れている。
【００６８】
このように構成した電気光学装置１００において、各サブ画素は以下に示す光
第１サブ画素１Ｒ（第１色光）＝赤色光Ｒ
第２サブ画素１Ｇ（第２色光）＝緑色光Ｇ
第３サブ画素１Ｂ（第３色光）＝青色光Ｂ
視野角制御用サブ画素１Ｓ＝白色の光Ｗ
を出射する。かかる色の対応はいずれも、前記したカラーフィルターの色によって規定されている。ここで、視野角制御用サブ画素１Ｓが出射する光の色は、第１サブ画素１Ｒが出射する光の色、第２サブ画素１Ｇが出射する光の色、第３サブ画素１Ｂが出射する光の色と相違している。
【００６９】
このように構成した電気光学装置１００においては、第１サブ画素１Ｒ、第２サブ画素１Ｇおよび第３サブ画素１Ｂによって、以下に示すように、
正面からみたときの画像
背景＝白色Ｗ
文字＝黒色ＢＫ
正面からみたときに白色Ｗを背景にして文字情報が黒色ＢＫで表示されるモードが実行される。
【００７０】
この場合、正面にいる者には、白色Ｗを背景にして文字情報が黒色ＢＫで表示された画像をみることになる。これに対して、左側にいる者あるいは右側にいる者には、背景に相当する領域から、第１サブ画素１Ｒからの赤色光Ｒ、第２サブ画素１Ｇからの緑色光Ｇ、および第３サブ画素１Ｂからの青色光Ｂが届く。また、左側にいる者あるいは右側にいる者には、文字に相当する領域から、視野角制御用サブ画素１Ｓの白色の光Ｗが届く。従って、左側にいる者、および右側にいる者は、白色Ｗを背景にして文字情報が白色Ｗで表示された画像をみることになるので、情報を判読できない。
【００７１】
図９に示す形態では、視野角制御用サブ画素１Ｓが、第１サブ画素１Ｒ、第２サブ画素１Ｇおよび第３サブ画素１Ｂが配列されている領域に対して下方に設けられていたが、視野角制御用サブ画素１Ｓが、第１サブ画素１Ｒ、第２サブ画素１Ｇおよび第３サブ画素１Ｂが配列されている領域に対して上方に設けられていてもよい。
【００７２】
図９に示す形態では、第１カラーフィルター２２（Ｒ）、第２カラーフィルター２２（Ｇ）および第３カラーフィルター２２（Ｂ）は、複数のサブ画素に跨って左右方向（走査線３ａの延在方向）に延在する横ストライプ構造が採用されていたが、第１カラーフィルター２２（Ｒ）、第２カラーフィルター２２（Ｇ）および第３カラーフィルター２２（Ｂ）については、左右方向（走査線３ａの延在方向）において繰り返されている構造であってもよい。
【００７３】
［実施の形態３］
図１０は、本発明の実施の形態３に係る電気光学装置の画素の断面構成を模式的に示す説明図である。上記実施の形態１では、図４（ａ）に示すように、対向基板２０の基板本体２０ｄにおいて素子基板１０と対向する面２０ｅ側に遮光バリア２９が設けられていた。これに対して、本形態では、図１０に示すように、対向基板２０の基板本体２０ｄにおいて素子基板１０と対向する面２０ｅとは反対側の面２０ｆに遮光バリア２９が設けられている。かかる遮光バリア２９は、基板本体２０ｄ上に形成された遮光性の金属や、遮光バリア２９を備えたバリアシートによって構成することができる。
【００７４】
［実施の形態４］
図１１は、本発明の実施の形態４に係る電気光学装置の画素の断面構成を模式的に示す説明図である。上記実施の形態１、３では、図４（ａ）および図１０に示すように、対向基板２０の基板本体２０ｄに遮光バリア２９が設けられていた。これに対して、本形態では、図１１（ａ）、（ｂ）に示すように、遮光バリア２９が遮光状態と透光状態とに切り換わる可変バリア装置４０が用いられている。かかる可変バリア装置４０は透過型の液晶パネルによって構成することができ、外部操作に基づいて、遮光バリア２９が遮光状態と透光状態とに切り換えられる。
【００７５】
［実施の形態５］
上記実施の形態１〜４は、電気光学装置１００が液晶装置であったが、以下に説明する有機ＥＬ装置（電気光学装置）に本発明を適用してもよい。以下、本発明を有機ＥＬ装置に適用した例を説明する。なお、以下の説明では、実施の形態１〜４との対応が分りやすいように、可能な限り、対応する部分には同一の符号を付して説明する。
【００７６】
図１２は、本発明の実施の形態５に係る電気光学装置（有機ＥＬ装置）の電気的構成を示すブロック図である。図１３（ａ）、（ｂ）は各々、本発明の実施の形態５に係る電気光学装置をその上に形成された各構成要素と共に対向基板の側から見た平面図、およびそのＪ−Ｊ′断面図である。図１４は、本発明の実施の形態５に係る電気光学装置の画素構成を模式的に示す断面図であり、図１４（ａ）、（ｂ）は各々、本発明の実施の形態５に係る電気光学装置１００のうち、カラーフィルターを用いたタイプの電気光学装置１００の説明図、およびカラーフィルターを用いないタイプの電気光学装置１００の説明図である。
【００７７】
図１２に示す電気光学装置１００は、有機ＥＬ装置であり、電気光学パネル１００ｐを備えている。電気光学パネル１００ｐにおいて、素子基板１０上には、複数の走査線３ａと、走査線３ａに対して交差する方向に延びる複数のデータ線６ａと、走査線３ａに対して並列して延在する複数の電源線３ｅとを有している。データ線６ａにはデータ線駆動回路１０１が接続され、走査線３ａには走査線駆動回路１０４が接続されている。
【００７８】
素子基板１０において、矩形形状の画素領域１０ｂ（画像表示領域１０ａ）には複数の画素１がマトリクス状に配列されている。複数の画素１は各々、第１サブ画素１Ｒ、第２サブ画素１Ｇおよび第３サブ画素１Ｂを備えており、かかる第１サブ画素１Ｒ、第２サブ画素１Ｇおよび第３サブ画素１Ｂは各々、赤色光Ｒ、緑色光Ｇおよび青色光Ｂを出射する。また、画素１は、第１サブ画素１Ｒ、第２サブ画素１Ｇおよび第３サブ画素１Ｂに加えて、視野角制御用サブ画素１Ｓを備えている。
【００７９】
第１サブ画素１Ｒ、第２サブ画素１Ｇ、第３サブ画素１Ｂ、および視野角制御用サブ画素１Ｓは各々、走査線３ａを介して走査信号がゲート電極に供給される画素トランジスター３０ｂと、このスイッチング用の画素トランジスター３０ｂを介してデータ線６ａから供給される画素信号を保持する保持容量７０と、保持容量７０によって保持された画素信号がゲート電極に供給される駆動用の画素トランジスター３０ｃとを有している。また、第１サブ画素１Ｒ、第２サブ画素１Ｇ、第３サブ画素１Ｂ、および視野角制御用サブ画素１Ｓは各々、画素トランジスター３０ｃを介して電源線３ｅに電気的に接続したときに電源線３ｅから駆動電流が流れ込む画素電極９ａ（陽極層）、この画素電極９ａに重なる有機機能層、および陰極層を備えた有機ＥＬ素子８０を有している。
【００８０】
かかる構成によれば、走査線３ａが駆動されてスイッチング用の画素トランジスター３０ｂがオンになると、そのときのデータ線６ａの電位が保持容量７０に保持され、保持容量７０が保持する電荷に応じて、駆動用の画素トランジスター３０ｃのオン・オフ状態が決まる。そして、駆動用の画素トランジスター３０ｃのチャネルを介して、電源線３ｅから画素電極９ａに電流が流れ、さらに有機機能層を介して対極層に電流が流れる。その結果、有機ＥＬ素子８０は、これを流れる電流量に応じて発光する。
【００８１】
なお、図１２に示す構成では、電源線３ｅは走査線３ａと並列していたが、電源線３ｅがデータ線６ａに並列している構成を採用してもよい。また、図１２に示す構成では、電源線３ｅを利用して保持容量７０を構成していたが、電源線３ｅとは別に容量線を形成し、かかる容量線によって保持容量７０を構成してもよい。
【００８２】
図１３（ａ）、（ｂ）において、本形態の電気光学装置１００では、素子基板１０と封止基板９０とがシール材１０７によって貼り合わされており、素子基板１０と封止基板９０との間には封止樹脂１０８などが充填されている。素子基板１０において、シール材１０７の外側の領域には、データ線駆動回路１０１および端子１０２が素子基板１０の一辺に沿って設けられており、端子１０２が配列された辺に隣接する２辺に沿って走査線駆動回路１０４が形成されている。素子基板１０には、画素電極（陽極）、有機機能層および陰極がこの順に積層された有機ＥＬ素子８０がマトリクス状に形成されている。なお、封止基板９０を用いずに、素子基板１０を封止樹脂で覆った構造を採用することもある。
【００８３】
図１４（ａ）に示すように、電気光学装置１００の素子基板１０では、ガラス、石英、単結晶シリコン基板などの基板本体１０ｄ上に複数の層の絶縁層１６、１７が形成されており、かかる絶縁層１６、１７の層間を利用して、図１２を参照して説明した画素トランジスター３０ｂ、３０ｃなどが構成されている。また、絶縁層１７の上には、第１サブ画素１Ｒ、第２サブ画素１Ｇ、第３サブ画素１Ｂ、および視野角制御用サブ画素１Ｓの各々に、ＩＴＯ膜などからなる画素電極８１が形成されており、かかる画素電極８１の周りは隔壁１８によって囲まれている。また、画素電極８１の上層には、有機機能層８２および陰極層８３が順に積層されており、画素電極８１、有機機能層８２および陰極層８３によって有機ＥＬ素子８０が構成されている。
【００８４】
本形態の電気光学装置１００は、トップエミッション型の有機ＥＬ装置であり、矢印Ｌで示すように、基板本体１０ｄからみて有機ＥＬ素子８０が形成されている側から光を取り出す。このため、陰極層８５は、薄いアルミニウム膜や、マグネシウムやリチウムなどの薄い膜をつけて仕事関数を調整したＩＴＯ膜などといった透光性電極として形成され、絶縁層１６、１７の層間において画素電極８１に平面視で重なる領域には反射層１５が形成されている。なお、電気光学装置１００は、有機ＥＬ素子８０から出射された光を基板本体１０ｄの側から出射するボトムエミッション型の有機ＥＬ装置として構成される場合もある。
【００８５】
かかる電気光学装置１００において、第１サブ画素１Ｒ、第２サブ画素１Ｇ、第３サブ画素１Ｂおよび視野角制御用サブ画素１Ｓに設けられた有機ＥＬ素子８０が白色Ｗや単色の光を出射する場合、封止基板９０において、有機ＥＬ素子８０と重なる領域には、第１カラーフィルター２２（Ｒ）、第２カラーフィルター２２（Ｇ）、第３カラーフィルター２２（Ｂ）および視野角制御用カラーフィルター２２（Ｓ）が設けられる。かかる構成の場合、第１サブ画素１Ｒ、第２サブ画素１Ｇ、第３サブ画素１Ｂおよび視野角制御用サブ画素１Ｓから出射される光の色はカラーフィルターによって規定される。
【００８６】
これに対して、第１サブ画素１Ｒ、第２サブ画素１Ｇ、第３サブ画素１Ｂおよび視野角制御用サブ画素１Ｓに設けられた有機ＥＬ素子８０が各々、異なる色の光を出射する場合、図１４（ｂ）に示すように、第１サブ画素１Ｒ、第２サブ画素１Ｇ、第３サブ画素１Ｂおよび視野角制御用サブ画素１Ｓから出射される光の色は有機ＥＬ素子８０が出射する光の色自身によって規定される。このため、封止基板９０には、図１４（ａ）に示すような第１カラーフィルター２２（Ｒ）、第２カラーフィルター２２（Ｇ）、第３カラーフィルター２２（Ｂ）および視野角制御用カラーフィルター２２（Ｓ）は設けられない。
【００８７】
このように構成した電気光学装置１００においても、実施の形態１〜４で説明したように、視野角制御用サブ画素１Ｓに対して光の出射方向で離間する位置には、視野角制御用サブ画素１Ｓに対して平面視で重なる遮光バリア２９が設けられる。なお、図１４（ａ）に示す構成では、遮光バリア２９と、第１カラーフィルター２２（Ｒ）、第２カラーフィルター２２（Ｇ）、第３カラーフィルター２２（Ｂ）および視野角制御用カラーフィルター２２（Ｓ）との層間には、シリコン酸化膜、シリコン窒化膜、感光性樹脂などの平坦化層２５が形成されている。ここで、視野角制御用サブ画素１Ｓは、第１サブ画素１Ｒ、第２サブ画素１Ｇおよび第３サブ画素１Ｂが出射する光と異なる色の光を出射する。例えば、第１サブ画素１Ｒ、第２サブ画素１Ｇ、第３サブ画素１Ｂおよび視野角制御用サブ画素１Ｓが出射する光の色は以下に示す条件
第１サブ画素１Ｒ（第１色光）＝赤色光Ｒ
第２サブ画素１Ｇ（第２色光）＝緑色光Ｇ
第３サブ画素１Ｂ（第３色光）＝青色光Ｂ
視野角制御用サブ画素１Ｓ
＝黄色光Ｙ、シアン色光Ｃ、マゼンダ色光Ｍ、白色の光Ｗなど
に設定される。
【００８８】
このため、電気光学パネル１００ｐで画像を表示した際、電気光学パネル１００ｐの正面に位置する者からは、視野角制御用サブ画素１Ｓから出射された光が遮光バリア２９で遮られる。従って、電気光学パネル１００ｐの正面に位置する者は、第１サブ画素１Ｒ、第２サブ画素１Ｇおよび第３サブ画素１Ｂが出射する光によって表示された画像をみることができる。これに対して、電気光学パネル１００ｐに対して斜め方向に位置する者には、視野角制御用サブ画素１Ｓから出射された光が届く一方、第１サブ画素１Ｒ、第２サブ画素１Ｇおよび第３サブ画素１Ｂから出射された光の一部が遮光バリア２９で遮られる。それ故、電気光学パネル１００ｐを斜め方向からみたときは、視野角制御用サブ画素１Ｓから出射された光と、複数の画素から出射された光のうち、遮光バリア２９で遮られなかった色の光とが加算混色された色の光によって画像が迷彩されるので、情報を判別できない。
【００８９】
［他の実施の形態］
上記実施の形態では、複数の画素１の各々に３つのサブ画素と１つの視野角制御用サブ画素１Ｓを設けたが、複数の画素１の各々に２つあるいは４つ以上のサブ画素と１つの視野角制御用サブ画素１Ｓを設けた構成を採用してもよい。
【００９０】
上記実施の形態では、画素１に設けた視野角制御用サブ画素１Ｓについても、他のサブ画素（第１サブ画素１Ｒ、第２サブ画素１Ｇおよび第３サブ画素１Ｂ）と同一の構成としたが、視野角制御用サブ画素１Ｓについては光変調する必要がない。従って、視野角制御用サブ画素１Ｓについて画素トランジスターなどを省略した構成を採用してもよい。
【００９１】
上記実施の形態では、視野角制御用サブ画素１Ｓについても、画素１毎に独立して設けたが、視野角制御用サブ画素１Ｓについては、複数の画素１に跨って一体に形成されている構成を採用してもよい。
【００９２】
上記実施の形態では、遮光バリア２９については視野角制御用サブ画素１Ｓに対して表示光の出射側に配置されていた。但し、電気光学装置１００が透過型液晶装置である場合、遮光バリア２９については視野角制御用サブ画素１Ｓに対してバックライト光の入射側（表示光の出射側とは反対側）に配置してもよい。かかる構成でも、視野角制御用サブ画素１Ｓから正面に向けて光が出射されるのを制限することができる。
【００９３】
［電子機器への搭載例］
次に、上述した実施形態に係る電気光学装置１００を適用した電子機器について説明する。図１５（ａ）に、電気光学装置１００を備えたモバイル型のパーソナルコンピューターの構成を示す。パーソナルコンピューター２０００は、表示ユニットとしての電気光学装置１００と本体部２０１０を備える。本体部２０１０には、電源スイッチ２００１及びキーボード２００２が設けられている。図１５（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図１５（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００９４】
なお、電気光学装置１００が適用される電子機器としては、図１５に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、タッチパネルを備えた機器等などが挙げられる。そして、これらの各種電子機器の表示部として、前述した電気光学装置１００が適用可能である。
【符号の説明】
【００９５】
１・・画素、１Ｒ・・第１サブ画素、１Ｇ・・第２サブ画素、１Ｂ・・第３サブ画素、１Ｓ・・視野角制御用サブ画素、１０・・素子基板、１０ａ・・画像表示領域、２０・・対向基板、２２（Ｒ）・・第１カラーフィルター、２２（Ｇ）・・第２カラーフィルター、２２（Ｂ）・・第３カラーフィルター、２２（Ｓ）・・視野角制御用カラーフィルター、２９・・遮光バリア、９０・・封止基板、１００・・電気光学装置、１００ｐ・・電気光学パネル
【図１】
2010224382.tif 000003
【図２】
2010224382.tif 000004
【図３】
2010224382.tif 000005
【図４】
2010224382.tif 000006
【図５】
2010224382.tif 000007
【図６】
2010224382.tif 000008
【図７】
2010224382.tif 000009
【図８】
2010224382.tif 000010
【図９】
2010224382.tif 000011
【図１０】
2010224382.tif 000012
【図１１】
2010224382.tif 000013
【図１２】
2010224382.tif 000014
【図１３】
2010224382.tif 000015
【図１４】
2010224382.tif 000016
【図１５】
2010224382.tif 000017